(57)【特許請求の範囲】
【請求項１】
原稿をセットするプラテンの下面に沿って移動する第１のキャリッジと、前記第１のキャリッジの半分の速度で移動する第２のキャリッジと、装置フレームと、を有する画像読取装置において、
前記第１のキャリッジと、前記第２のキャリッジと、装置フレームとに、固定用ネジ部材を直線状に挿通可能な孔を設けてなり、
前記第１のキャリッジに設けた前記孔は、前記固定用ネジ部材の先端部のネジ部を係止可能なネジ孔であることを特徴とする画像読取装置。
【請求項２】
前記各キャリッジの移動方向における各々の側部には、フランジ部材が突出して設けられ、
前記各キャリッジに設けられた孔は、前記各フランジ部材に形成されており、
さらに、前記各フランジ部材の一部として形成された水平部材の下面には、すべり部材が設けられていることを特徴とする請求項１に記載の画像読取装置。
【発明の詳細な説明】
【０００１】
【発明の属する技術分野】
本発明は、フラットベッド型のスキャナーのような画像読取装置において、装置を搬送する際等に、ミラーや光源等を装備したキャリッジのような移動部材を装置フレームに固定するものに関する。
【０００２】
【従来の技術】
フラットベッドスキャナーにおいては、プラテン上にセットした原稿の画像を読み取るために、プラテンの下面に沿って往復移動する読取り部材として、ランプとミラーとを組み合わせたフルレートキャリッジと、前記フルレートキャリッジに連動して移動されるハーフレートキャリッジとを組み合わせて設けている。そして、原稿の画像面に当てた光を複数のミラーに反射させて、レンズを通してＣＣＤに結像し、ＣＣＤから電気信号として画像情報を接続する画像形成装置に向けて出力するようにしている。例えば、前記スキャナーを接続する装置がファクシミリ装置の場合には、その画像情報を電話回線を通じて送信するものであり、複写機等においては、スキャナーから出力される信号にもとづいて記録紙を作成する。
【０００３】
前記スキャナーにおいては、プラテンの下面に沿って往復移動するキャリッジは、ミラー間の距離と、ミラーとレンズの間の距離を正確に調整することが必要である。そこで、画像読取装置を工場から出荷する場合には、輸送時の衝撃が加えられたりして、キャリッジやその周辺部に配置する構成部材が破損したり、位置関係が狂うことを防止するために、キャリッジを装置フレームに固定することが行われている。前記固定のためには、各キャリッジをクッション部材等を介在させ、ネジまたは結束する等の固定手段を用いて、装置フレームに固定することが行われている。
【０００４】
【発明が解決しようとする課題】
前記固定方法を用いる場合には、プラテンを外して固定部材を取り外す必要があるために、メンテナンスの専門要員がユーザーのもとに行って、梱包から画像読取装置を取出してから固定部材を外し、キャリッジ等の位置関係を調整した後で、ユーザーに引き渡すようにしている。そのために、画像読取装置はユーザーが受け取ってから直ちに使用することができず、メーカーにおいても、調整の専門要員が必ずユーザーのもとに出張する必要がある等の問題がある。また、キャリッジ等の固定のためにクッション材を固定部材と併用して用いることがあり、廃棄物を増加させる原因ともなっている。
【０００５】
本発明は、前述したような従来のキャリッジ等の固定手段を簡素化し、プラテンを外すことなしに、容易に固定と解除の作業を行い得る装置を提供することを目的としている。
【０００６】
【課題を解決するための手段】
本発明は、原稿をセットするプラテンの下面に沿って移動する第１のキャリッジと、前記第１のキャリッジの半分の速度で移動する第２のキャリッジと、装置フレームと、を有する画像読取装置に関する。
本発明の請求項１の発明は、前記第１のキャリッジと、前記第２のキャリッジと、装置フレームとに、固定用ネジ部材を直線状に挿通可能な孔を設けてなり、
前記第１のキャリッジに設けた前記孔は、前記固定用ネジ部材の先端部のネジ部を係止可能なネジ孔であることを特徴とする。
請求項２の発明は、前記各キャリッジの移動方向における各々の側部には、フランジ部材が突出して設けられ、
前記各キャリッジに設けられた孔は、前記各々のフランジ部材に形成されており、
さらに、前記各フランジ部材の一部として形成された水平部材の下面には、すべり部材が設けられていることを特徴とする。
【０００７】
前述したように構成したことにより、画像読取装置を輸送する際に、キャリッジを装置フレームに対してネジで固定することができ、キャリッジの固定と開放とを容易に行うことができる。そして、１本の固定ネジ部材のみを用いて、フレームの外側から固定と解除とを行い得ることにより、ユーザーが画像読取装置を受けとった後で、単に固定ネジ部材を外して直ちに使用状態とすることができる。また、前記２つのキャリッジをフランジに対してネジ部材を用いて固定した状態で搬送するために、キャリッジが搬送中に破損したり、取り付け位置にずれが発生することがなく、光学系の構成部材の位置関係に狂いが生じたりすることを防止できる。
【０００８】
【発明の実施の形態】
図示される例にしたがって、本発明の画像読取装置を説明する。図１に示す画像読取装置１は、ファクシミリ装置の原稿読取部や、複写機の読取部、パソコンに対するスキャナーとして用いることができる装置として構成され、画像読取装置１が接続される任意の装置に対して、ＣＣＤからデジタル信号としての画像情報を伝達させる。前記図１に示される画像読取装置１においては、本体フレームの上部にはプラテン３を配置し、原稿の画像面を下側に向けてセットさせるようにする。前記プラテン３にセットした原稿に対しては、その上面に位置させるプラテンカバー９の弾性体９ａを押圧して、原稿の画像面をプラテンに密着させて読取り可能にする。
【０００９】
前記プラテンを上面に配置するフレームの内部には、一般の画像読取装置と同様に、ランプ５とミラーｍ１を配置し、副走査キャリッジとしてのフルレートキャリッジ４と、２つのミラーｍ２、ｍ３を配置したハーフレートキャリッジ６とを移動可能に設けている。前記２つのキャリッジ４、６においては、１つの軸に設けたプーリ１０、１１に巻き掛けたワイヤ１２、１３を介して駆動されるもので、前記２つのプーリ１０、１１の直径を２：１に形成することにより、フルレートキャリッジ４の速度に対して、ハーフレートキャリッジ６の速度を半分に設定している。前記読取装置２においては、原稿の長さ方向に定速で移動するフルレートキャリッジ４と、前記フルレートキャリッジ４の半分の速度で移動されるハーフレートキャリッジ６とを連動させて往復移動させ、プラテン上にセットした原稿の画像をランプにより照射する。そして、その反射光を２つのキャリッジに各々設けたミラーｍ１、ｍ２、ｍ３を介して反射させ、前記ミラーｍ３の反射光をレンズ７でＣＣＤ８に結像させ、光情報を電気信号に変換して、デジタル信号として接続した装置に向けて出力する。
【００１０】
前記２つのキャリッジ４、６を駆動するための駆動装置においては、ステッピングモータを使用して、前記同軸のプーリ１０、１１を駆動するものとして構成し、モータの回転数に対応するパルスをモータドライバからモータに印加する。そして、原稿の長さに対応する距離だけフルレートキャリッジを移動させるとともに、フルレートキャリッジの読取り速度を任意に設定できるようにし、前記フルレートキャリッジ４の半分の速度で半分の距離だけハーフレートキャリッジ６を移動させる。また、フルレートキャリッジが原稿の長さに対応する距離だけ移動した後では、読取り時に印加したパルス数だけ逆方向にモータを駆動して、２つのキャリッジを原位置に戻すようにする。
【００１１】
【実施例】
前記画像読取装置において、装置の搬送時にキャリッジを固定するために、図２、３に示すような固定手段を用いることができる。図２に示す例は、本発明の固定手段の構成例を示しているもので、固定用ネジ３５ａを装置フレーム２０の上板２２の孔２２ａから装着して、キャリッジを固定する場合を示している。本実施例において、キャリッジ４のフランジ２５の下面には滑り部材２８を設けており、前記滑り部材２８は装置フレームに固定されている案内レール等の案内部材２３の上面に摺動して、前記キャリッジの案内を行うものとされる。
【００１２】
図３に示す例において、フルレートキャリッジ４のフランジ２５に小径の孔２７を配置しており、前記キャリッジ４に対して、装置フレームの案内部材２３には、ネジ孔２４（図２に示す）を設けている。前記図２に示す例では、固定用ネジ３５ａを大径の頭部３６から大径部３７を所定の長さに形成し、その大径部３７の先端部に小径部３８を配置して、ネジ部３９を設けたものとして構成している。そして、前記固定用ネジ３５ａを用いてキャリッジ４を固定する際には、装置フレーム２０の上板２２の孔２２ａから固定用ネジ３５ａを挿入し、大径部３７の端部がフランジ２５の上面に押圧される状態で、前記フランジの孔に小径部を通し、ネジ部３９を案内部材２３のネジ孔２４に固定する。したがって、この固定用ネジ３５ａを使用する場合には、フランジ２５と案内部材とを固定用ネジの大径部とネジ部とでそれぞれ位置決めし、装置フレームに対してキャリッジを移動不能に固定することができる。
【００１３】
前記実施例とは別に、本発明においては、装置の搬送時にキャリッジを固定するために、図４、５に示すような固定手段を用いることができる。図４に示すように、フルレートキャリッジ４とハーフレートキャリッジ６のそれぞれには、その移動方向の側部にフランジ２５、３０を突出させて設けている。なお、前記図２、３に示す例においても、キャリッジ４のフランジを、図４のフランジと同様に構成することができるもので、その場合には、フランジの水平部材の下面に滑り部材を設けることができる。本実施例において、２つのキャリッジ４、６は、装置フレームの内部に配置する案内レール等の案内部材に沿って移動されるものであるから、前記各キャリッジに設けるフランジには、前記案内レールに沿って移動する被案内部材の一部を固定用の部材として形成して用いることができる。前記ミラーｍ１を配置するフルレートキャリッジ４と、ミラーｍ２を配置するハーフレートキャリッジ６の２つのキャリッジは、画像読取りの動作の原点位置では、装置フレームの一方の端部まで移動されると、図１に示すように非常に接近される状態となる。
【００１４】
そこで、前記図４および、図５に示すように、２つのキャリッジが最も接近する位置で、２つのフランジ２５、３０が重なるようにそれぞれ突出させて設けている。そして、前記２つのフランジ２５、３０と装置フレーム２０の側板２１とを、直線状に貫通させる孔をそれぞれ設けて、１本の固定用ネジ３５により固定することができるように構成している。前記固定用ネジ３５を用いて固定するためには、装置フレーム２０の側板２１とフランジ３０には大径の孔２１ａ、３１を設け、フランジ２５にはネジ孔２６を形成している。また、前記固定用ネジ３５は、側板２１の外側に位置させる頭部３６を大径にし、先端部のネジ部３９をフランジ２５のネジ孔に一致させて構成しており、頭部３６とネジ部３９の間を大径部３７として、前記フランジ３０の孔３１と装置フレームの側板２１の孔２１ａとを貫通させ、固定される各部材が固定用ネジに対して遊びのない状態で相互に固定される。
【００１５】
前記図５に示すように、装置フレームと、フルレートキャリッジ４のフランジ２５、および、ハーフレートキャリッジ６のフランジ３０とを固定する手段を用いる場合には、前記２つのキャリッジ４、６が最も接近する位置まで移動させてから、固定用ネジ３５を装着することにより、容易に固定することができる。また、前記図５に示す状態で搬送する場合には、各キャリッジは原点位置に設定されているので、梱包を解いた後で固定用ネジを取り外すことにより、各キャリッジの相互の位置を調整することなしに直ちに使用することができる。
【００１６】
なお、前記本発明の各実施例において、キャリッジの側部に突出させて設けるフランジは、案内レール等に摺動する部材を用いることができるが、その他に、フランジをキャリッジに対して一体に取り付けて構成することも可能である。また、前記装置フレーム内部に固定される２つのキャリッジのフランジは、その上下関係を任意に設定可能である。そして、装置フレームに近接する側のフランジには孔を、遠い側のフランジにはネジ孔を設けることにより、２つのフランジを１つの固定用ネジを用いて固定保持させることができる。また、前記固定用ネジは、次に装置を搬送したり移動させようとする場合にも再び使用できるものであるから、廃棄物として捨てることはなく、装置の任意の場所に保管しておくこともできる。
【００１７】
【発明の効果】
本発明の装置は、前述したように構成しているものであるから、画像読取装置を輸送する際に、キャリッジをフレームに対してネジで固定することができ、キャリッジの固定と開放とを容易に行うことができる。そして、固定ネジ部材のみを用いて、フレームの外側から固定と解除とを行い得ることにより、ユーザーが画像読取装置を受けとった後で、単に固定ネジを外して直ちに使用状態とすることができる。また、キャリッジをネジを用いて固定した状態で搬送するために、キャリッジが搬送中に破損したり、取り付け位置にずれが発生することがなく、光学系の構成部材の位置関係に狂いが生じたりすることを防止できる。
【図面の簡単な説明】
【図１】  本発明の固定手段を適用可能な画像読取装置の構成を示す説明図である。
【図２】  本発明のキャリッジの固定例の説明図である。
【図３】  キャリッジに設けるフランジの例の説明図である。
【図４】  キャリッジに設けるフランジの構成の説明図である。
【図５】  装置フレームとキャリッジを固定した状態の説明図である。
【符号の説明】
１    画像読取装置、  ２    読取装置、  ３    プラテン、
４    フルレートキャリッジ、  ６    ハーフレートキャリッジ、
７    レンズ、  ８    ＣＣＤ、  ２０    装置フレーム、  ２１    側板、
２１ａ・２２ａ、２４    孔、  ２２    上板、  ２３    案内部材、
２５・３０    フランジ、  ２６    ネジ孔、  ２７    小径の孔、
２８    滑り部材、  ３２    ネジ孔、  ３５    固定用ネジ、
３７    大径部、  ３９    ネジ部。
【図１】
0003733718.tif 000002
【図２】
0003733718.tif 000003
【図３】
0003733718.tif 000004
【図４】
0003733718.tif 000005
【図５】
0003733718.tif 000006